(57)【要約】【課題】内枠体における電気部品の取付・配線作業および故障時のメンテナンスが容易になる弾球遊技機を提供する。【解決手段】内枠体４の前面一側に透明板保持枠５が開閉自在に軸着され、内枠体４の後面には、前記一側と同側に機構板１１が開閉自在に軸着される弾球遊技機１であって、内枠体４の前面上部に横長の状態表示基板１５を着脱自在に装着し、状態表示基板１５には、状態表示ランプ２４と、扉開放スイッチ２６と、状態表示ランプ２４および扉開放スイッチ２６から引き出され機構板１１の軸支部近傍に配置したコネクター２５に接続される電気コード２７ａ，２７ｂと、を設けた。【選択図】　図４
2004081601.tif 000002
【特許請求の範囲】
【請求項１】
外枠に装着される内枠体の前面一側に透明板保持枠が開閉自在に軸着され、また、前記内枠体の後面には、遊技盤が固定されると共に前記一側と同側に機構板が開閉自在に軸着される弾球遊技機であって、
前記内枠体の前面上部に横長の状態表示基板を着脱自在に装着し、前記状態表示基板には、点灯して遊技上のエラー状態を知らせる状態表示ランプと、前記透明板保持枠が開放されたことを電気的に検出する扉開放スイッチと、前記状態表示ランプおよび扉開放スイッチから引き出され前記機構板の軸支部近傍に配置したコネクターに接続される電気コードと、を設けたことを特徴とする弾球遊技機。
【請求項２】
前記状態表示基板に、前記透明板保持枠を閉めたとき、上方から前記透明板保持枠に嵌入して装着される透明枠体の上方を塞ぎ、その無用な上動動作を阻止する上動阻止板を設けた請求項１記載の弾球遊技機。
【発明の詳細な説明】
【０００１】
【発明の属する技術分野】
本発明は、外枠に装着される内枠体の前面に、各種電気部品の取付や配線作業が容易に行えるようにした弾球遊技機に関するものである。
【０００２】
【従来の技術】
弾球遊技機の一種であるパチンコ遊技機は、例えば、縦長方形状をなす外枠の前面に遊技盤が臨む開口部を開設した内枠体が装着され、この内枠体の前面には、前記遊技盤の前面を覆う透明枠体を上から嵌入して装着した透明板保持枠がその一側を支点にして開閉自在に軸着されている。また、前記内枠体の後側には景品球を貯留する球タンク、景品球を排出する球払出装置、遊技状態を電気的に制御する制御装置などが設けられた機構板が、前記透明板保持枠と同じ側に軸着して装着されている。そして、前記内枠体の前面であって開口部の上方には、例えば点灯して遊技上のエラー状態を知らせる状態表示ランプや透明板保持枠が開放されたことを電気的に検出する扉開放スイッチなどが取り付けられている。
【０００３】
【発明が解決しようとする課題】
しかしながら、前記状態表示ランプや扉開放スイッチなどを内枠体に逐一取り付け、更に、これら電気部品から引き出される電気コードをまとめて配線することは非常に面倒で手間がかかり、これら取付作業に多くの時間も掛かるものである。また、前記電気部品が故障をしたときは、内枠体からその電気部品だけを電気コードと共に取り外すなど面倒な作業を強いられメンテナンスが容易ではないという課題が有る。特に、前記扉開放スイッチは、機構板の開放側に位置しており、しかも、内枠体の後面にコネクターが突設され、機構板に取付けられた制御装置から引き出される電気コード先端のコネクターを前記コネクターに接続するようにしている。よって、例えば、機構板を開ける場合、前記電気コードが邪魔になることから、その都度逐一前記コネクターを取り外し、また、機構板を閉めた後に両コネクターを接続し直すといった面倒な手間を強いられている。
【０００４】
そこで、本発明は上記課題に鑑みてなされたもので、電気部品の取付・配線作業および故障時のメンテナンスが容易に行え、更に、前記扉開放スイッチの電気コードを触らずに機構板が開閉できる弾球遊技機を提供することを目的とするものである。
【０００５】
【課題を解決するための手段】
かかる目的を達成するために、本発明は、外枠に装着される内枠体の前面一側に透明板保持枠が開閉自在に軸着され、また、内枠体の後面には、遊技盤が固定されると共に前記一側と同側に機構板が開閉自在に軸着される弾球遊技機であって、前記内枠体の前面上部に横長の状態表示基板を着脱自在に装着し、状態表示基板には、点灯して遊技上のエラー状態を知らせる状態表示ランプと、透明板保持枠が開放されたことを電気的に検出する扉開放スイッチと、状態表示ランプおよび扉開放スイッチから引き出され機構板の軸支部近傍に配置したコネクターに接続される電気コードと、を設けた構成からなる。
【０００６】
このように、状態表示基板であって機構板の軸支部近傍にコネクターを配置し、状態表示ランプおよび扉開放スイッチから引き出され電気コードを前記コネクターに接続するようにしたので、内枠体へは状態表示基板を取付けるのみで済み電気部品の取付や配線作業が容易になり、また、電気部品の故障時には状態表示基板を内枠体から取り外して交換作業などを行なえばよいから、メンテナンスが容易になる。更に、コネクターを機構板の軸支部近傍に配置するようにしたので、そこから引き出される電気コードはその機構板の開閉動作にほとんど影響を与えることがないから、扉開放スイッチの電気コードを触らずに機構板が開閉できることになる。よって、扉開閉スイッチのコネクターを逐一取り外したり接続したりする手間が解消される。
【０００７】
この場合、前記状態表示基板に、前記透明板保持枠を閉めたとき、上方から透明板保持枠に嵌入して装着される透明枠体の上方を塞ぎ、その無用な上動動作を阻止する上動阻止板を設けることが好ましい。これにより、状態表示基板を内枠体に取付けることで同時に取付けられ、これら取付作業の簡略化が図られる。
【０００８】
【発明の実施の形態】
次に、本発明に係る弾球遊技機の実施の形態を図面を参照して説明する。なお、弾球遊技機には、パチンコ遊技機、アレンジボール式遊技機、雀球遊技機等の遊技機があるが、その一例としてパチンコ遊技機について説明する。また、本実施の形態では、内枠体と透明板保持枠とを多軸蝶番で連結した構成を示すが、通常の一軸の蝶番で連結する構成の弾球遊技機についても適用できるものである。
【０００９】
図１はパチンコ遊技機の正面図、図２は同透明板保持枠を開いた状態の斜視図、図３は同透明板保持枠と前面板と前面下部板を取り外した状態の分解斜視図である。パチンコ遊技機１は、縦長方形状に枠組みされる木製の外枠２と、該外枠２の一側にヒンジ機構３によって開閉自在に装着される内枠体４とを備え、該内枠体４の前面一側に透明板保持枠５と、打球供給皿６を有する前面板７及び余剰球受皿８を有する前面下部板９とを開閉自在に軸着して構成されている。前記内枠体４の後面には、遊技盤１０が固定され、更に、その後面に遊技盤１０を覆うようにして機構板１１が装着される。この機構板１１は、内枠体４の前記透明板保持枠５と同じ側に軸着されており、例えば、前記内枠体４の後側には景品球を貯留する球タンク１２、景品球を前記内球供給皿６へ排出する球払出装置（図示せず。）、遊技状態を電気的に制御する制御装置（図示せず。）などが設けられている。
【００１０】
前記内枠体４は、鉄板等の金属板によって成形されており、上部に遊技盤１０が臨む開口部１３が開設され、その下部が板状部４ｂとして成形された主枠部４ａからなる。そして、前記開口部１３の下方の板状部４ｂには、パチンコ球を遊技盤１０面へ打込むための打球発射機構１４ａ、遊技中大当り状態になった時などに音を発生させるスピーカ１４ｂおよび打球供給皿６から球抜きした球または発射するも戻ってきたファール球等のパチンコ球を余剰球受皿８に誘導するための通路構成体１４ｃがそれぞれ装着されている。
【００１１】
そして、図４に示すように前記内枠体４の主枠部４ａの前面に、前記開口部１３の上方に位置して前記内枠体４の横幅とほぼ同じ長さを有する横長の状態表示基板１５が着脱自在に装着されている。状態表示基板１５は、合成樹脂製からなり、後面が開放する横長枠本体１６の前面であって前記機構板１１の軸支側と同側に凹窪領域１７が成形されている。後側の上部には、その長手方向に沿って配線通路１８が成形され、配線通路１８に一定間隔ごとに後記する配線された電気コード２７ａを保持するための複数の保持片１９が設けられている。前記横長枠本体１６の上面部両側に後端から後方へ突出し、先端に上向きの爪部２０ａを有する弾性係合片２０が設けられ、同じく下面部両側に下方へ突出する係合片２１がそれぞれ一体に設けられている。
【００１２】
前記凹窪領域１７に、配線基板２３が上下の係止片２２によって取り付けられ、その前面に点灯して遊技上のエラー状態、例えばパチンコ遊技機１裏側の球通路内での球詰まり、を知らせる状態表示ランプ２４が装着されている。また、凹窪領域１７内には、前記機構板１１の軸支側と同側の端部であって該軸支部近傍に位置して、接続口が横長枠本体１６の後方へ突出するコネクター２５が設けられる。一方、横長枠本体１６の前記機構板１１の開放側と同側の端部前面に、前記透明板保持枠５が開放されたことを電気的に検出する扉開放スイッチ２６が設けられる。前記扉開放スイッチ２６から引き出された電気コード２７ａは、各保持片１９に保持されつつ配線通路１８に配設されると共に凹窪領域１７に導かれ、状態表示ランプ２４から引き出される電気コード２７ｂと一緒に前記コネクター２５に接続される。
【００１３】
前記状態表示基板１５の下縁に、その下縁に沿って前方へ突出する上動阻止板２８が設けられている。この上動阻止板２８は、前記透明板保持枠５を閉めたとき、上方から前記透明板保持枠５に嵌入して装着される後記する透明枠体５７の上方を塞ぎ、その無用な上動動作を阻止して、これによる不正行為を防止するものである。
【００１４】
前記状態表示基板１５は上記構成からなり、下面部両側の各係合片２１を主枠部４ａの両側に設けられた各係合孔２９の嵌入させ、上面部両側の各弾性係合片２０を同じく主枠体４ａの両側に開設された各係合孔３０に押し込み、爪部２０ａを係合孔３０の内周縁に係合させる。更に、この状態で、横長枠本体１６に開設されたビス挿通孔３１を介しこれと対応して主枠部４ａに設けられたビス孔３２へビス３３を螺締めすることにより、主枠部４ａの前面に状態表示基板１５が装着される。また、ビス３３を取り外すと共に前記弾性係合片２０の係合を解くことにより、状態表示基板１５が取り外せることになる。
【００１５】
前記内枠体４の前面であって軸支側には、図５に示すようにその前面に透明板保持枠５を連結するための多軸蝶番３４が設けられる。多軸蝶番３４は、リンク板の二枚ある二連二軸蝶番であって、金属製からなり内枠体４前面に上下一対配置され、図６、図７に示すように内枠体４側と透明板保持枠５側とにそれぞれ取り付けられる支持部材３５ａ，３５ｂと、両支持部材３５ａ，３５ｂを連結する二枚のリンク板３６ａ，３６ｂとからなる。前記内枠体４側に取り付けられる支持部材３５ａは、底板３７の両端縁から側板３８を同方向へほぼ直角に折り曲げて成形される。両側板３８間の寸法は、前記リンク板３６ａ，３６ｂの縦幅寸法とほぼ同一となりかつその間でリンク板３６ａ，３６ｂが回動し得るように設定してある。
【００１６】
また、前記両側板３８には対向位置して二対の軸孔３９が貫設されており、この内、一方の側板３８の軸孔３９は、その側板３８の外側縁で開放される導入溝３９ａと連通している。前記底板３７には、側板３８と同方向へ円錐状に窪む二個の窪み部４０が設けられ、その奥端に螺子孔４１が開設されている。一方、前記透明板保持枠５側に取り付けられる支持部材３５ｂは、窪み部４０を設けていない点を除き、それ以外の構成は前記支持部材３５ａと同じなので、同一部位は同一番号を付すことにより詳しい説明は省略する。
【００１７】
前記各リンク板３６ａ，３６ｂは、横長に成形され、その両端縁にそれぞれ前記各軸孔３９に嵌入して軸支される棒状軸部４２が一体に突出して設けられている。４３は前記上下の第一リンク板３６ａを連結するための金属製の連結部材であり、前記上下の第一リンク板３６ａの一側面にカシメ止めして固着される。また、４４は透明板保持枠５を着脱自在に取り付けるための金属製の取付部材であり、各支持部材３５ｂがカシメ止めして固着される。そして、その上下部に取付用口４５が開設され、該各取付用口４５を横断するように水平な係止杆４６が横架されている。
【００１８】
前記透明板保持枠５は、内枠体４の上半部分を全幅にわたって覆う大きさに成形され、その中央部に遊技盤１０前面の遊技部が視認可能な円形状の開口４７が成形される合成樹脂製の本体枠５ａと、該本体枠５ａの裏面側に装着される補強金属板５ｂとから構成されている。前記本体枠５ａは、開口４７の外周縁部を前側へ最も張り出させてその外観が火山のようにデザイン化されており、透光性の部分と非透光性の部分とが複雑に入り組んでいる。前記補強金属板５ｂの軸支側には、その上下部に前記各係止杆４６に嵌合するための装着部材４８が縦向きに固着されている。各装着部材４８は、図８に示すように補強金属板５ｂにビス止めされる支持部４９と、該支持部４９に上下方向へスライド自在に装着され、その上端に傾斜面５０が設けられた滑動子５１と、該滑動子５１を常に上方へ付勢するばね５２とからなる。また、前記支持部４９に前記係止杆４６が保持されるＵ字形溝５３が設けられている。
【００１９】
そこで、前記内枠体４の前面に多軸蝶番３４を取り付けるには、図９に示すように各支持部材３５ａ側の各螺子孔４１と主枠部４ａに開設される通孔５４を合致させた状態で、主枠部４ａの後側から各螺子孔４１に通孔５４を介して皿小ねじ５５を螺締する。一方、取付部材４４に透明板保持枠５を取り付けるには、図１０に示すように、他方の各支持部材３５ｂが固着された取付部材４４における上下の各係止杆４６に、透明板保持枠５の各装着部材４８を各取付用口４５を介して接近させる。そして、滑動子５１の傾斜面５０に係止杆４６を接触させた状態で、透明板保持枠５を取付部材４４に押し付ける。これにより、前記係止杆４６によって前記滑動子５１がばね５２の付勢に抗して後退し、係止杆４６が傾斜面５０先端から外れてＵ字形溝５３に嵌り込み、同時に滑動子５１がばね５２の付勢で元の位置に復帰して係止杆４６を外れないように保持する。このようにして、内枠体４の前面一側に透明板保持枠５が多軸蝶番３４により回動自在かつ着脱自在に装着される。
【００２０】
前記透明板保持枠５の補強金属板５ｂの後面に、本体枠５ａの開口４７の上辺部を除く左右側辺部及び下側辺部を囲うようにしてコ字形に形成された溝枠部材５６が一体的に設けられる。また、該溝枠部材５６に遊技盤１０を透視できる２枚の透明板としてのガラス板５７ａを平行に配置して一体に組立てられる透明枠体５７が上方より挿入嵌合されて保持されている。更に、本体枠５ａには、前記内枠体４の一側前面に前方へ突出するようにして設けられるシリンダー錠５８前端の鍵穴部５８ａが臨む鍵挿通孔５９が開設されている。
【００２１】
透明板保持枠５を閉めた状態では、図１１、図１２に示すように状態表示ランプ２４が透明板保持枠５側の補強金属板５ｂに開設された透孔６０と対向位置する。そして、状態表示ランプ２４が点灯した場合は、その光が透孔６０を介して本体枠５ａの一部である透光性の部分を所定色の光で照らし、透明板保持枠５の前側からそれが視認できるようになっている。
【００２２】
また、扉開放スイッチ２６に設けられ常に前方へ付勢されるスイッチボタン２６ａは、透明板保持枠５側の補強金属板５ｂに押されて後退しており、この状態では、扉開放スイッチ２６が遮断されている。一方、透明板保持枠５を開けると、前記スイッチボタン２６ａが前方へ突出して扉開放スイッチ２６が通電し、ホールコンピュータへ出力されるようになっている。
【００２３】
本発明では、状態表示基板１５において、コネクター２５が機構板１１の軸支側と同側の端部であり該軸支部近傍に配置され、状態表示ランプ２４や扉開放スイッチ２６から引き出される電気コード２７ａ，２７ｂを前記コネクター２５に接続している。よって、内枠体４に状態表示基板１５を装着するのみで、これら電気部品および電気コード２７ａ，２７ｂが取り付けられることになる。しかも、コネクター２５は機構板１１の軸支部近傍に位置していることから、そこから引き出される電気コード２７ａ，２７ｂは、その機構板１１の開閉動作にほとんど影響を与えることがない。すなわち、それら電気コード２７ａ，２７ｂに触らずに機構板１１を開閉動作することができる。
【００２４】
更に、この際、上動抑止板２８が透明枠体５７上方であってわずかに離れて位置し、前記透明板保持枠を閉めたとき透明枠体５７の上方を塞いでおり、その無用な上動動作を阻止するようにしている。よって、透明枠体５７をそのまま引き上げて下側にできた隙間からピアノ線等の細い針金を差し込み遊技盤１０面に這わせて行なわれる不正行為を未然に防止できる。
【００２５】
【発明の効果】
以上説明したように、本発明に係る弾球遊技機は、内枠体前面上部に横長の状態表示基板を着脱自在に装着し、状態表示基板には、点灯して遊技上のエラー状態を知らせる状態表示ランプと、透明板保持枠が開放されたことを電気的に検出する扉開放スイッチと、状態表示ランプおよび扉開放スイッチから引き出され前記記構板の軸支部近傍に配置したコネクターに接続される電気コードと、を設けてなるので、内枠体へは状態表示基板を取付けるのみで電気部品の取付や配線作業が行え、電気部品の取付や配線作業が容易になる。また、これにより弾球遊技機の生産性が向上しコストの削減が図られるという効果が有る。
【００２６】
また、電気部品の故障時には、状態表示基板を内枠体から取り外して交換作業などを行なえばよいから、メンテナンスが容易になる。更に、コネクターを機構板の軸支部近傍に配置するようにしたので、そこから引き出される電気コードはその機構板の開閉動作にほとんど影響を与えることがなく、扉開放スイッチの電気コードを触らずに機構板が開閉できることになる。よって、従来のように扉開閉スイッチのコネクターを逐一取り外したり、接続するといった手間が解消されるという効果も有る。
【００２７】
更に、前記状態表示基板に、前記透明板保持枠を閉めたとき、上方から透明板保持枠に嵌入して装着される透明枠体の上方を塞ぎ、その無用な上動動作を阻止する上動阻止板を設ければ、状態表示基板を内枠体に取付けることで同時に取付けられ、これら取付作業の簡略化が図られる。
【図面の簡単な説明】
【図１】本発明に係るパチンコ遊技機の正面図。
【図２】同透明板保持枠を開いた状態の斜視図。
【図３】同内枠体と透明板保持枠と前面板及び前面下部板を取り外した状態の分解斜視図。
【図４】同状態表示基板を取り外した状態の分解斜視図。
【図５】透明板保持枠と、外枠に装着された内枠体との一部の分解斜視図。
【図６】多軸蝶番の斜視図。
【図７】同分解斜視図。
【図８】装着部材の斜視図。
【図９】多軸蝶番を取り付た状態を示す内枠体の側面断面図。
【図１０】透明板保持枠を取付部材に取り付けた状態を示す内枠体と外枠の側面断面図。
【図１１】パチンコ遊技機の要部を示す平面断面図。
【図１２】パチンコ遊技機の要部を示す側面断面図。
【符号の説明】
１　　　　　　　　　　弾球遊技機（パチンコ遊技機）
２　　　　　　　　　　外枠
４　　　　　　　　　　内枠体
５　　　　　　　　　　透明板保持枠
１０　　　　　　　　　遊技盤
１１　　　　　　　　　機構板
１５　　　　　　　　　状態表示基板
２４　　　　　　　　　状態表示ランプ
２５　　　　　　　　　コネクター
２６　　　　　　　　　扉開放スイッチ
２７ａ　　　　　　　　電気コード
２７ｂ　　　　　　　　電気コード
２８　　　　　　　　　上動阻止板
５７　　　　　　　　　透明枠体
【図１】
2004081601.tif 000003
【図２】
2004081601.tif 000004
【図３】
2004081601.tif 000005
【図４】
2004081601.tif 000006
【図５】
2004081601.tif 000007
【図６】
2004081601.tif 000008
【図７】
2004081601.tif 000009
【図８】
2004081601.tif 000010
【図９】
2004081601.tif 000011
【図１０】
2004081601.tif 000012
【図１１】
2004081601.tif 000013
【図１２】
2004081601.tif 000014